【手続補正書】
【提出日】平成28年1月7日(2016.1.7)
【手続補正１】
【補正対象書類名】特許請求の範囲
【補正対象項目名】全文
【補正方法】変更
【補正の内容】
【特許請求の範囲】
【請求項１】
作像部材の各回転に異なる画像を形成する再作像可能な表面を有する作像部材と、
前記再作像可能な表面へのインクを測定するためのキーレスインクユニットであって、前記キーレスインクユニットは、前記作像部材の幅方向に相互に隣り合って配置された複数の加熱素子を含み、前記複数の加熱素子のそれぞれの温度は、前記複数の加熱素子のそれぞれに関連する複数の個別のインク浴ゾーンのそれぞれへのインク供給を制御するように調整され、前記複数の個別のインク浴ゾーンは、前記異なる画像がクロス現像方向に分割されるサブ画像を形成する、前記キーレスインクユニットと、
先読み時間中、各サブ画像においてインクで作像された画素の数をカウントし、前記各サブ画像の実行中の画素数を求め、メモリに画素数情報を格納する画素カウンタと、
（１）前記作像部材の前記各回転の前記再作像可能な表面上に形成された各異なる画像における前記各サブ画像のための将来のインク負荷要求に関する入力を受信し、前記各サブ画像のための前記インク負荷要求は、前記各サブ画像の前記実行中の画素数に基づいており、
（２）印刷される前記各サブ画像のための前記先読み時間の関数として前記インク負荷要求を決定し、
（３）前記複数のインク浴ゾーンのそれぞれにおける前記複数の加熱素子のそれぞれの温度を制御する制御機能を実行し、将来における前記各サブ画像に対する前記決定されたインク負荷要求を満たすように前記再作像可能な表面へインクを供給する、フィードフォワード制御装置と、
デジタルリソグラフィック画像形成システムのためのインク塗布動的モデルに従って前記制御機能を変更するフィードバック制御装置と、
を含む、
デジタルリソグラフィック画像形成システム。
【請求項２】
前記インク負荷要求は、前記複数の加熱素子のうちの少なくとも１つの熱力学と、これに関連付けられた前記複数のインク浴ゾーンの１つと、に従って、前記再作像可能な表面へ現像されたインクを更に含む、請求項１に記載のデジタルリソグラフィック画像形成システム。
【請求項３】
前記インク塗布動的モデルは、インク濃度測定、インク濃度目標、インク濃度測定時のインク負荷、及び、フィードバック利得に基づいている、請求項１に記載のデジタルリソグラフィック画像形成システム。
【請求項４】
前記インク塗布動的モデルは、前記各異なる画像の印刷後に得られたデータ、前記再作像可能な表面の所定の位置で濃度パッチを用いて前記各異なる画像の印刷前に得られたデータ、及び、前記再作像可能な表面から２以上の前記異なる画像の印刷後に得られたデータの少なくとも１つによって更新される、請求項３に記載のデジタルリソグラフィック画像形成システム。
【請求項５】
前記複数の加熱素子の少なくとも１つは、抵抗加熱器、誘導加熱器、電気加熱器、及び、パイプ加熱器を含むグループの中から選択される、請求項１に記載のデジタルリソグラフィック画像形成システム。
【請求項６】
前記フィードフォワード制御装置及び前記フィードバック制御装置は、前記再作像可能な表面から得られたインク濃度測定に応答する、請求項１に記載のデジタルリソグラフィック画像形成システム。
【請求項７】
作像部材の幅方向にわたってクロス現像方向に複数のインク浴ゾーンのそれぞれを加熱する複数の加熱素子を有するキーレスインクユニットを用いて、デジタルリソグラフィック画像形成デバイスにおいて前記作像部材の再作像可能な表面にインクを供給する方法において、
プロセッサを用いて、前記作像部材の各回転の再作像可能な表面上に連続して形成される複数の異なる画像を含む印刷ジョブを受信するステップと、
前記プロセッサを用いて、前記複数の異なる画像のそれぞれを、前記複数の加熱素子のそれぞれに関連付けられたクロス現像方向のサブ画像と、前記作像部材の幅方向にわたって前記複数のインク浴ゾーンのそれぞれへ分離するステップと、
画素カウンタを用いて、先読み時間中、各サブ画像においてインクで作像された画素の数をカウントするステップと、
前記画素カウンタを用いて、前記各サブ画像の実行中の画素数を求めるステップと、
前記画素カウンタを用いて、メモリに画素数情報を格納するステップと、
前記プロセッサを用いて、前記作像部材の前記各回転の前記再作像可能な表面上に形成される前記各異なる画像における前記各サブ画像のための将来のインク負荷要求を決定するステップであって、前記各サブ画像のための前記将来のインク負荷要求は、前記各サブ画像の前記実行中の画素数に基づくものであり、印刷される前記各サブ画像のための前記先読み時間の関数として前記将来のインク負荷要求を決定するステップと、
前記プロセッサを用いて、前記複数のインク浴ゾーンのそれぞれにおける前記複数の加熱素子のそれぞれの温度を制御する制御機能を実行し、前記先読み時間における前記各サブ画像に対する前記決定されたインク負荷要求を満たすように前記再作像可能な表面へインクを供給するステップと、
前記デジタルリソグラフィック画像形成デバイスのためのインク塗布動的モデルに従って前記制御機能を変更するステップと、
を含む、
方法。
【請求項８】
前記インク負荷要求は、前記複数の加熱素子のうちの少なくとも１つの熱力学と、これに関連付けられた前記複数のインク浴ゾーンの１つと、に従って、前記再作像可能な表面へ現像されたインクを更に含む、請求項７に記載の方法。
【請求項９】
前記インク塗布動的モデルは、インク濃度測定、インク濃度目標、インク濃度測定時のインク負荷、及び、フィードバック利得に基づいている、請求項７に記載の方法。
【請求項１０】
前記インク塗布動的モデルは、前記各異なる画像の印刷後に得られたデータ、前記再作像可能な表面の所定の位置で濃度パッチを用いて前記各異なる画像の印刷前に得られたデータ、及び、前記再作像可能な表面から２以上の前記異なる画像の印刷後に得られたデータの少なくとも１つによって更新される、請求項９に記載の方法。
【請求項１１】
前記複数の加熱素子の少なくとも１つは、抵抗加熱器、誘導加熱器、電気加熱器、及び、パイプ加熱器を含むグループの中から選択される、請求項７に記載の方法。
【請求項１２】
前記制御機能及び前記インク塗布動的モデルは、前記再作像可能な表面から得られたインク濃度測定に応答する、請求項７に記載の方法。
【手続補正２】
【補正対象書類名】明細書
【補正対象項目名】００６１
【補正方法】変更
【補正の内容】
【００６１】
アクション７３０において、方法が終了し、更新された動的インク塗布モデルが使用に備える。
（付記１）
印刷機のローラの幅方向に相互に隣り合って配設されるとともに各々が個々のインク浴ゾーンへのインク給送を制御するように適合可能である少なくとも１つの加熱素子を含む印刷機用のキーレスインク塗布装置のインク浴の温度を制御するためのシステムであって、前記システムは、
前記少なくとも１つのインク浴ゾーンの温度を制御するように適合可能な第１の制御機能に基づいて画像が出力されるようにインク負荷要求に応答するフィードフォワード制御装置と、
前記フィードフォワード制御装置に応答して前記少なくとも１つのインク浴ゾーンの温度を制御するための少なくともの１つの加熱素子と、
を含む、システム。
（付記２）
前記印刷機用のインク塗布の動的モデルに基づいて前記第１の制御機能を適合させかつ動作可能とするためのフィードバック制御装置を更に含む、付記１に記載のシステム。
（付記３）
前記インク負荷要求は少なくとも１つのインク浴ゾーンに関連付けられたクロス現像方向のサブ画像へ分離された画像の画素数に基づいて要求される、付記２に記載のシステム。
（付記４）
前記インク負荷要求は、前記印刷機の作像胴へ現像されたインクと、前記少なくとも１つの加熱素子の熱力学、これに関連付けられたインク浴ゾーン、前記インク塗布装置のインク流体力学、および前記印刷機の作像胴へインクを塗布する際の遅延の少なくとも１つと、を含む、付記３に記載のシステム。
（付記５）
前記インク塗布の動的モデルは、インク濃度測定、インク濃度目標、濃度測定時のインク負荷、フィードバック利得、またはこれらの組合せの少なくとも１つに基づく、付記３に記載のシステム。
（付記６）
インク浴を加熱するように構成されている少なくとも１つの加熱素子を含む印刷機用のキーレスインク塗布装置のインク浴の温度を制御するための方法であって、
少なくとも１つの画像を含む印刷ジョブを受信するステップと、
前記少なくとも１つの画像を各加熱素子に関連付けられたクロス現像方向のサブ画像とこれに対応付けられたインク浴ゾーンへ分離させるステップと、
前記少なくとも１つのインク浴ゾーンの温度を制御するように適合可能である第１の制御機能に基づいて出力を提供するステップと、
前記少なくとも１つのインク浴ゾーンの温度を制御するために少なくとも１つの加熱素子を制御するステップと、
を含む方法。
（付記７）
前記印刷機のためのインク塗布動的モデルからの出力に基づいて前記第１の制御機能を適合させるステップを更に含み、
前記インク負荷要求は少なくとも１つのインク浴ゾーンに関連付けられたクロス現像方向のサブ画像へ分離された前記画像の画素数に基づいて要求される、付記６に記載の方法。
（付記８）
前記インク負荷要求は、前記印刷機の作像胴へ現像されたインクと、前記少なくとも１つの加熱素子の熱力学、これに関連付けられたインク浴ゾーン、前記インク塗布装置のインク流体力学、前記印刷機の作像胴へインクを塗布する際の作像胴へインクを塗布する際の遅延の少なくとも１つと、を含む、付記７に記載の方法。
（付記９）
前記インク塗布動的モデルは、インク濃度測定、インク濃度目標、濃度測定時のインク負荷、フィードバック利得、又はこれらの組合せの少なくとも１つに基づいている、付記７に記載の方法。
（付記１０）
前記インク塗布動的モデルは、前記画像の印刷後に得られたデータ、前記作像部材の所定の位置で濃度パッチを用いて前記画像の印刷前に得られたデータ、多数の画像の印刷後に得られたデータの少なくとも１つによって更新される、付記８に記載の方法。